(57)【要約】【課題】廃棄紙からインクを除去する方法を提供すること。【解決手段】印刷紙からインクを除去する方法は、水性スラリーを形成するために紙をパルプ化する工程と、脱インク用添加物を紙に加える工程と、浮選により分離されたインクを除去する工程とからなる。  同添加物は、以下の式：2010053504.tif 000026にて示される単位からなる有機変性シロキサンからなる。【選択図】      なし【特許請求の範囲】
【請求項１】
印刷紙からインクを除去する方法において、前記方法は、水性スラリーを形成するために紙をパルプ化する工程と、脱インク用添加物を紙に加える工程と、浮選により分離されたインクを除去する工程とからなり、
前記添加物は、以下の式：
【化１】
2010053504.tif 000020
にて示される単位からなる有機変性シロキサン
［ここで、Ｒ１はそれぞれ独立して、水素原子、アルキル、アリール、アルケニル、アラルキル、アルカリル、アルコキシ、アルカノイルオキシ、ヒドロキシル、エステル又はエーテル基から選択され；
Ｚはそれぞれ独立して、アミン、アミド、カルボキシル、エステル若しくはエポキシ基にて置換されたアルキル基、又は
【化２】
2010053504.tif 000021
基から選択され；
ｎは１より大きい整数であり；
ａ及びｂは独立して、０、１、２又は３であり；
Ｒ２はアルキレン基または直接結合であり；
Ｒ３は上記Ｒ１又はＺにて定義された基であり；
ｐ及びｒは独立して、１乃至６の整数であり；
ｑ及びｓは独立して、０又は１≦ｑ＋ｓ≦４００を満たす整数であり、かつ
有機変性シロキサンの各分子が少なくとも一つのＺ基を含む］
、からなる方法。
【請求項２】
前記Ｚは、
【化３】
2010053504.tif 000022
基である請求項１に記載の方法。
【請求項３】
前記ｐ及びｒの少なくとも一方は独立して２、３又は４である請求項２に記載の方法。
【請求項４】
前記ｑ及びｓはそれぞれ独立して１０乃至３０の整数である請求項２又は３に記載の方法。
【請求項５】
前記ｑ及びｓは、それぞれ独立して１５乃至２５の整数である請求項４に記載の方法。
【請求項６】
ｐは２であり、ｒは３であり、かつｑ及びｓはいずれも１８である請求項２乃至５のいずれか一項に記載の方法。
【請求項７】
前記Ｒ２はメチレン、エチレン、プロピレン、ブチレン、ペンチレン又はヘキシレン基である請求項１乃至６のいずれか一項に記載の方法。
【請求項８】
前記Ｒ３は水素原子又はヒドロキシル基である請求項１乃至７のいずれか一項に記載の方法。
【請求項９】
前記シロキサンは直鎖状である請求項１乃至８のいずれか一項に記載の方法。
【請求項１０】
前記シロキサンは分枝状部を含む請求項１乃至９のいずれか一項に記載の方法。
【請求項１１】
前記Ｚは、
【化４】
2010053504.tif 000023
基であり、かつ前記Ｒ３はヒドロキシル基又はアルカノイルオキシ基である請求項１乃至１０のいずれか一項に記載の方法。
【請求項１２】
前記シロキサン分子中のケイ素原子の２乃至２０モル％がＺ基にて置換されている請求項１乃至１１のいずれか一項に記載の方法。
【請求項１３】
前記シロキサン分子中のケイ素原子の５乃至１６モル％がＺ基にて置換されている請求項１２に記載の方法。
【請求項１４】
前記シロキサンは、５．０乃至７．３の範囲の親水性／親油性バランス（ＨＬＢ）を有する請求項１乃至１３のいずれか一項に記載の方法。
【請求項１５】
前記シロキサンは、１０００乃至５０００００の範囲の分子量を有する請求項１乃至１４のいずれか一項に記載の方法。
【請求項１６】
前記シロキサンは、１００００乃至１０００００の範囲の分子量を有する請求項１５に記載の方法。
【請求項１７】
前記シロキサンは、ＨＬＢ値が５．９乃至６．３である水酸基がエンドキャップ処理された直鎖状ポリジメチルシロキサンであり、該直鎖状ポリジメチルシロキサンは、１０乃至１２モル％のケイ素原子が、式：
【化５】
2010053504.tif 000024
で示されるＺ基にて置換されており、ここで、ｐは２であり、ｒは３であり、ｑ及びｓはいずれも１８であり、Ｒ２は１乃至６個の炭素原子を有するアルキレン基であるか又は直接結合されており、かつＲ３は水素原子又はヒドロキシル、エステル若しくはエーテル基である請求項１乃至１６のいずれか一項に記載の方法。
【請求項１８】
前記添加物は、ポリジメチルシロキサン、有機ポリエーテル及び脂肪酸から選択される一つ以上の成分を更に含む請求項１乃至１７のいずれか一項に記載の方法。
【請求項１９】
前記添加物は、式：
【化６】
2010053504.tif 000025
で示される有機ポリエーテルを更に含むとともに、Ｒ４及びＲ５は水素原子、ヒドロキシル、アルキル及びアルコキシ基から選択され、ｐ及びｒは独立して１乃至６の整数であり、かつｑ及びｓは独立して０又は１≦ｑ＋ｓ≦４００を満たす整数である請求項１８に記載の方法。
【請求項２０】
前記添加物は、飽和又は不飽和の一塩基性脂肪族カルボン酸である脂肪酸を更に含む請求項１８又は１９に記載の方法。
【請求項２１】
前記カルボン酸は、ラウリン酸、ミリスチン酸、パルミチン酸、ステアリン酸、アラキン酸、ベヘン酸、リグノセリン酸、パルミトレイン酸、オレイン酸、リノール酸、リノレン酸及びアラキドン酸から選択される請求項２０に記載の方法。
【請求項２２】
前記添加物は乳剤である請求項１乃至２１のいずれか一項に記載の方法。
【請求項２３】
前記添加物は、ガムベースの自己乳化型シロキサンである請求項２２に記載の方法。
【請求項２４】
前記添加物は紙に対して０．１乃至１重量％の範囲内の量にて前記紙に加えられる請求項１乃至２３のいずれか一項に記載の方法。
【請求項２５】
前記添加物は紙に対して０．１乃至０．５重量％の範囲内の量にて前記紙に加えられる請求項２４に記載の方法。
【請求項２６】
ほぼ中性のｐＨにて実施される請求項１乃至２５のいずれか一項に記載の方法。
【請求項２７】
前記添加物は、パルプ化工程の前、パルプ化工程時又はパルプ化工程の後に加えられる請求項１乃至２６のいずれか一項に記載の方法。
【発明の詳細な説明】
【技術分野】
【０００１】
本発明は、印刷された廃棄紙からインクを除去する方法に関する。
【背景技術】
【０００２】
森林破壊が引き起こす環境被害に関する認識の高まりにより、近年、廃棄紙の再生利用の増大が見られるようになってきた。リサイクル廃棄紙が商業的に有利であり、かつ未使用の繊維資源の保護において重要な影響を与えるという能力が認識されてきた。しかしながら、印刷用インク及び印刷媒体における技術的な発展は、再生資源業者に対して挑戦し続けるべく問題を提起し続ける一方である。
【０００３】
紙への印刷は、典型的には二種類のインク即ち、紙上へ物理的に押圧されるインパクトインク（ｉｍｐａｃｔ  ｉｎｋ）と、帯電された画像に吸引され、かつ紙へ移動される非インパクトインク（ｎｏｎ−ｉｍｐａｃｔ  ｉｎｋ）のうちの一方を用いて行われる。インパクトインクは、典型的には、例えば、活版印刷用インク、オフセット平版印刷用インク、グラビア印刷用インク及びフレキソ印刷用インクのような湿式インクである。例えば、活版印刷用インクは、通常、鉱油担体中のカーボンブラック顔料から構成されており、例えば、新聞の印刷に使用されている。オフセット平版印刷用インクは活版印刷用インクに比べより多くの顔料を含んでおり、かつアマニ又はアルキル樹脂のような乾燥した油を含んでいる。フレキソ印刷用インクは、活版印刷用インクと同様の工程において使用されるが、水性であり、かつアルカリの可溶性結合剤中に乳化したインクを含んでいる。それらのインクは容易に除去され得るが、捕捉及び除去が困難であるような極端に微細な粒子を形成するかもしれない。
【０００４】
例えばトナーのような非インパクトインクは、通常、乾燥した、粉末状のインクであり、かつレーザ印刷、コピー印刷及びファクシミリ機において使用されるとともに熱可塑性樹脂及び顔料から構成されている。
【０００５】
これら二つの異なるタイプのインクを含んだ紙からのインクの除去は、異なる脱インクの工程及び条件を必要とする。従来、非インパクトインクを含んだ紙からのインクの除去は、中性条件下において界面活性剤にてパルプ化することのみが必要であるのに対し、インパクトインクを含んだ紙からのインクの除去は、例えば、界面活性剤に加えて、アルカリ、ケイ酸塩及び過酸化物を用いて処理するような異なる条件を必要とする。
【０００６】
従来の脱インク法において、廃棄紙は水性媒体中にて機械的撹拌により分解され（パルプ化され）、紙の繊維からインク及び不純物を分離し、かつインクを約０．１乃至１０００μｍの粒子に分解する。従って、灰色のスラリーが得られ、インクは該スラリー中において微細に分散した状態において存在している。例えば、プラスチック、アルミホイル、石、ビス、留め金、ペーパークリップ等のような不純物は、種々の選別工程において除去される。
【０００７】
例えば、コピー印刷のような非インパクト印刷紙のインクの除去は通常中性の条件下にて実施されるが、他の印刷紙において、インクの除去は通常、アルカリ性水酸化物、アルカリ性ケイ酸塩、酸化漂白剤及び界面活性剤を使用するアルカリ性のｐＨレベルにて、３０乃至５０℃の温度にて実施される。通常、石鹸、エトキシ化脂肪アルコール及び／又はエトキシ化アルキルフェノールのようなアニオン性及び非イオン性の界面活性剤（ｔｅｎｓｉｄｅｓ）が界面活性剤として使用される（例えば、特許文献１を参照されたい）。
【０００８】
次いで、インク粒子は洗浄及び／又は浮選（ｆｌｏｔａｔｉｏｎ）により繊維スラリーから除去される。より小さなインク粒子は洗浄により除去され、より大きなインク粒子及び棒状のインク（例えば、のりの残留物及び接着剤）は、浮選により除去される。浮選時、気泡がパルプ中に送り込まれる。分散したインク粒子は気泡に付着し、該気泡がインク粒子を表面に運ぶ。得られた泡は表面からすくい取れられる。次の工程は、パルプを加熱して、落ちにくいインク粒子を均等に分配し、かつ傷ついた繊維、短い繊維、又は弱い繊維を分別するためにパルプを選別する工程を含む。選別後に残った、不純物が取り除かれた状態のパルプをローラー間にて押圧し、シートを形成し、乾燥させる。
【０００９】
従って、効果的な脱インク法では、インクを紙繊維から有効に分離することと、分散されたインクを繊維状スラリーから除去することの両方を必要とする。
しかしながら、従来の脱インク法には種々の欠点が存在する。例えば、インク粒子の繊維スラリーからの除去が不完全である場合、得られた紙が、灰色の色調となったり、染みがついていたり、明度の低いものとなる。明度及び色は、多くの紙の用途において重要な品質の基準となっている。
【００１０】
加えて、従来の脱インク法において使用されるアルカリ条件は、例えば、フィラー、微細な繊維及び棒状体のような水溶性及び／又はコロイド状の固形物及び微細に分散した固形物の処理水への混入を引き起こす。これら混入物が洗浄工程時において十分に除去されていない場合、該混入物が引き続く洗浄工程において濃縮され、かつ紙繊維中に再び組み込まれるので、得られた紙が明度を失うことになる。更に、従来の脱インク法において使用されている上述の化学物質を含む廃液は、環境上好ましいものではない。
【先行技術文献】
【特許文献】
【００１１】
【特許文献１】欧州特許第００１３７５８号明細書
【発明の概要】
【発明が解決しようとする課題】
【００１２】
本発明は、従来の脱インク法の欠点を克服した、廃棄紙からインクを除去する方法を提供することをその目的としている。
【課題を解決するための手段】
【００１３】
上述の目的を解決するために、請求項１に記載の発明は、印刷紙からインクを除去する方法において、同方法は、水性スラリーを形成するために紙をパルプ化する工程と、脱インク用添加物を紙に加える工程と、浮選により分離されたインクを除去する工程とからなり、同添加物は、以下の式：
【００１４】
【化１】
2010053504.tif 000002
にて示される単位からなる有機変性シロキサン
［ここで、Ｒ１はそれぞれ独立して、水素原子、アルキル、アリール、アルケニル、アラルキル、アルカリル、アルコキシ、アルカノイルオキシ、ヒドロキシル、エステル又はエーテル基から選択され；
Ｚはそれぞれ独立して、アミン、アミド、カルボキシル、エステル若しくはエポキシ基にて置換されたアルキル基、又は
【００１５】
【化２】
2010053504.tif 000003
基から選択され；
ｎは１より大きい整数であり；
ａ及びｂは独立して、０、１、２又は３であり；
Ｒ２はアルキレン基または直接結合であり；
Ｒ３は上記Ｒ１又はＺにて定義された基であり；
ｐ及びｒは独立して、１乃至６の整数であり；
ｑ及びｓは独立して、０又は１≦ｑ＋ｓ≦４００を満たす整数であり、かつ
有機変性シロキサンの各分子が少なくとも一つのＺ基を含む］
、からなる方法を提供する。
【００１６】
請求項２に記載の発明は、請求項１に記載の方法において、Ｚは
【００１７】
【化３】
2010053504.tif 000004
基であることをその要旨とする。
【００１８】
請求項３に記載の発明は、請求項２に記載の方法において、ｐ及びｒの少なくとも一方は独立して２、３又は４であることをその要旨とする。
請求項４に記載の発明は、請求項２又は３に記載の方法において、ｑ及びｓはそれぞれ独立して１０乃至３０の整数であることをその要旨とする。
【００１９】
請求項５に記載の発明は、請求項４に記載の方法において、ｑ及びｓは、それぞれ独立して１５乃至２５の整数であることをその要旨とする。
請求項６に記載の発明は、請求項２乃至５のいずれか一項に記載の方法において、ｐは２であり、ｒは３であり、かつｑ及びｓはいずれも１８であることをその要旨とする。
【００２０】
請求項７に記載の発明は、請求項１乃至６のいずれか一項に記載の方法において、Ｒ２はメチレン、エチレン、プロピレン、ブチレン、ペンチレン又はヘキシレン基であることをその要旨とする。
【００２１】
請求項８に記載の発明は、請求項１乃至７のいずれか一項に記載の方法において、Ｒ３は水素原子又はヒドロキシル基であることをその要旨とする。
請求項９に記載の発明は、請求項１乃至８のいずれか一項に記載の方法において、シロキサンは直鎖状であることをその要旨とする。
【００２２】
請求項１０に記載の発明は、請求項１乃至９のいずれか一項に記載の方法において、シロキサンは分枝状部を含むことをその要旨とする。
請求項１１に記載の発明は、請求項１乃至１０のいずれか一項に記載の方法において、Ｚは
【００２３】
【化４】
2010053504.tif 000005
基であり、かつＲ３はヒドロキシル基又はアルカノイルオキシ基であることをその要旨とする。
【００２４】
請求項１２に記載の発明は、請求項１乃至１１のいずれか一項に記載の方法において、シロキサン分子中のケイ素原子の２乃至２０モル％がＺ基にて置換されていることをその要旨とする。
【００２５】
請求項１３に記載の発明は、請求項１２に記載の方法において、シロキサン分子中のケイ素原子の５乃至１６モル％がＺ基にて置換されていることをその要旨とする。
請求項１４に記載の発明は、請求項１乃至１３のいずれか一項に記載の方法において、シロキサンは、５．０乃至７．３の範囲の親水性／親油性バランス（ＨＬＢ）を有することをその要旨とする。
【００２６】
請求項１５に記載の発明は、請求項１乃至１４のいずれか一項に記載の方法において、シロキサンは、１０００乃至５０００００の範囲の分子量を有することをその要旨とする。
【００２７】
請求項１６に記載の発明は、請求項１５に記載の方法において、シロキサンは、１００００乃至１０００００の範囲の分子量を有することをその要旨とする。
請求項１７に記載の発明は、請求項１乃至１６のいずれか一項に記載の方法において、シロキサンは、ＨＬＢ値が５．９乃至６．３である水酸基がエンドキャップ処理された直鎖状ポリジメチルシロキサンであり、該直鎖状ポリジメチルシロキサンは、１０乃至１２モル％のケイ素原子が、式：
【００２８】
【化５】
2010053504.tif 000006
で示されるＺ基にて置換されており、ここで、ｐは２であり、ｒは３であり、ｑ及びｓはいずれも１８であり、Ｒ２は１乃至６個の炭素原子を有するアルキレン基であるか又は直接結合されており、かつＲ３は水素原子又はヒドロキシル、エステル若しくはエーテル基であることをその要旨とする。
【００２９】
請求項１８に記載の発明は、請求項１乃至１７のいずれか一項に記載の方法において、添加物は、ポリジメチルシロキサン、有機ポリエーテル及び脂肪酸から選択される一つ以上の成分を更に含むことをその要旨とする。
【００３０】
請求項１９に記載の発明は、請求項１８に記載の発明において、添加物は、式：
【００３１】
【化６】
2010053504.tif 000007
で示される有機ポリエーテルを更に含むとともに、Ｒ４及びＲ５は水素原子、ヒドロキシル、アルキル及びアルコキシ基から選択され、ｐ及びｒは独立して１乃至６の整数であり、かつｑ及びｓは独立して０又は１≦ｑ＋ｓ≦４００を満たす整数であることをその要旨とする。
【００３２】
請求項２０に記載の発明は、請求項１８又は１９に記載の方法において、添加物は、飽和又は不飽和の一塩基性脂肪族カルボン酸である脂肪酸を更に含むことをその要旨とする。
【００３３】
請求項２１に記載の発明は、請求項２０に記載の方法において、カルボン酸は、ラウリン酸、ミリスチン酸、パルミチン酸、ステアリン酸、アラキン酸、ベヘン酸、リグノセリン酸、パルミトレイン酸、オレイン酸、リノール酸、リノレン酸及びアラキドン酸から選択されることをその要旨とする。
【００３４】
請求項２２に記載の発明は、請求項１乃至２１のいずれか一項に記載の方法において、添加物は乳剤であることをその要旨とする。
請求項２３に記載の発明は、請求項２２に記載の方法において、添加物は、ガムベースの自己乳化型シロキサンであることをその要旨とする。
【００３５】
請求項２４に記載の発明は、請求項１乃至２３のいずれか一項に記載の方法において、添加物は紙に対して０．１乃至１重量％の範囲内の量にて同紙に加えられることをその要旨とする。
【００３６】
請求項２５に記載の発明は、請求項２４に記載の方法において、添加物は紙に対して０．１乃至０．５重量％の範囲内の量にて同紙に加えられることをその要旨とする。
請求項２６に記載の発明は、請求項１乃至２５のいずれか一項に記載の方法において、ほぼ中性のｐＨにて実施されることをその要旨とする。
【００３７】
請求項２７に記載の発明は、請求項１乃至２６のいずれか一項に記載の方法において、添加物は、パルプ化工程の前、パルプ化工程時又はパルプ化工程の後に加えられることをその要旨とする。
【発明の効果】
【００３８】
本発明によれば、廃棄紙からインクを除去する方法が得られ、しかも、周知の脱インク法を使用した場合と比較して、明度が改善されたパルプを生成することが可能となる。
【発明を実施するための形態】
【００３９】
本発明によれば、印刷紙からインクを除去する方法が提供され、該方法は、水性スラリーを形成するために紙をパルプ化する工程と、脱インク用添加物を紙に加える工程と、浮選により分離されたインクを除去する工程とからなり、該添加物は、以下の式：
【００４０】
【化７】
2010053504.tif 000008
、にて示される単位からなる有機変性シロキサン
［ここで、Ｒ１はそれぞれ独立して、水素原子、アルキル、アリール、アルケニル、アラルキル、アルカリル、アルコキシ、アルカノイルオキシ、ヒドロキシル、エステル又はエーテル基から選択され；
Ｚはそれぞれ独立して、アミン、アミド、カルボキシル、エステル若しくはエポキシ基にて置換されたアルキル基、又は
【００４１】
【化８】
2010053504.tif 000009
基から選択され；
ｎは１より大きい整数であり；
ａ及びｂは独立して、０、１、２又は３であり；
Ｒ２はアルキレン基または直接結合であり；
Ｒ３は上記Ｒ１又はＺにて定義された基であり；
ｐ及びｒは独立して、１乃至６の整数であり；
ｑ及びｓは独立して、０又は１≦ｑ＋ｓ≦４００を満たす整数であり、かつ
有機変性シロキサンの各分子が少なくとも一つのＺ基を含む］からなる。
【００４２】
Ｚは
【００４３】
【化９】
2010053504.tif 000010
基であることが好ましく、より好ましくはｐ及び／またはｒは独立して２、３又は４であり、即ち、エチレン、プロピレン及び／またはブチレンオキサイド基からなる置換基である。好ましくは、ｑ及びｓはそれぞれ独立して１０乃至３０の整数であり、より好ましくは１５乃至２５（例えば、１８）の整数である。特に好ましいＺ基において、ｐは２であり、ｒは３であり、かつｑ及びｓはいずれも１８である。Ｒ２は例えば１乃至６個の炭素原子を有するアルキレン基（即ち、メチレン、エチレン、プロピレン、ブチレン、ペンチレン、又はヘキシレン基）であるか、または直接結合している。Ｒ３は上記Ｒ１又はＺにて定義された置換基であり、かつ好ましくは水素原子又はヒドロキシル基である。
【００４４】
加えて、又はこれに代えて、Ｚはアミン、アミド、カルボキシル、エステル又はエポキシ基にて置換されたアルキル基であり、例えば、１乃至６個の炭素原子を有するアルキル基、即ち、置換されたメチル、エチル、プロピル、ブチル、ペンチル又はヘキシル基であり得る。
【００４５】
シロキサンは、直鎖状であり得るか、又はａ＋ｂ＝０又は１である、即ち、シロキサンが分枝状のものを含む単位からなる。Ｚが
【００４６】
【化１０】
2010053504.tif 000011
基である場合、Ｒ３は好ましくはヒドロキシル又はアルカノイルオキシ基である。
【００４７】
シロキサン分子中において、好ましくは２乃至２０モル％の、より好ましくは５乃至１６モル％のケイ素原子がＺ基にて置換されている。
シロキサンは、好ましくは、５．０乃至７．３の範囲の親水性／親油性バランス（ＨＬＢ）を有している。
【００４８】
シロキサンの分子量は、好ましくは１０００乃至５０００００の範囲であり、より好ましくは１００００乃至１０００００の範囲である。
本発明において使用される特に好ましいシロキサンは、ＨＬＢ値が５．９乃至６．３である水酸基のエンドキャップ処理された（ｈｙｄｒｏｘｙ−ｅｎｄｃａｐｐｅｄ）直鎖状ポリジメチルシロキサンであり、該直鎖状ポリジメチルシロキサンは１０乃至１２モル％のケイ素原子が式：
【００４９】
【化１１】
2010053504.tif 000012
であるＺ基にて置換されており、ここで、ｐは２であり、ｒは３であり、ｑ及びｓはいずれも１８であり、Ｒ２は１乃至６個の炭素原子を有するアルキレン基であるか、又は直接結合されており、かつＲ３は水素原子又はヒドロキシル、エステル若しくはエーテル基である。
【００５０】
本発明において使用される添加物は、有機変性シロキサンに加えて更なる成分からなる。例えば、添加物は、ポリジメチルシロキサン、有機ポリエーテル及び脂肪酸から選択される一つ以上の成分からなる。適切な有機ポリエーテルは、一般式が
【００５１】
【化１２】
2010053504.tif 000013
であり、かつＲ４及びＲ５が水素原子、ヒドロキシル、アルキル及びアルコキシ基から選択されるとともにｐ、ｑ、ｒ及びｓが上述に定義されたものである該一般式のうちのいくつかを含む。適切な脂肪酸は、例えば、ラウリン酸、ミリスチン酸、パルミチン酸、ステアリン酸、アラキン酸、ベヘン酸、リグノセリン酸、パルミトレイン酸、オレイン酸、リノール酸、リノレン酸及びアラキドン酸のような８乃至２２個の炭素原子を有する飽和及び不飽和の一塩基性脂肪族カルボン酸を含む。
【００５２】
添加物は、乳剤の形態であり得、例えば、有機変性シロキサンはガムベースの自己乳化型シロキサンである。
本発明の方法において、該添加物はパルプ化の前、パルプ化の工程時、又はパルプ化の後に紙に加えることができる。紙に加えられるべき添加物の量は、紙に対して０．１乃至１重量％の範囲内であることが好ましく、より好ましくは、０．１乃至０．５重量％である。添加物は、例えば、乳剤のように希釈せずに紙に加えられるか、又は例えば水溶液のように、溶解して加えられる。
【００５３】
本発明の方法は、該方法がアルカリ性のｐＨにて実施可能ではあるものの、ほぼ中性のｐＨにて実施されることが好ましい。
本発明のパルプ化工程及びインク除去工程は、当業者には周知であり、かつ上記に記載されたように、従来どおりの方法にて実施され得る。例えば、紙は、３５乃至４５℃のような３０乃至５０℃の範囲の温度にて、１乃至１０％（例えば、１乃至５％）の濃度を有する水性のスラリーを形成するためにパルプ化され得る。濃度（ｃｏｎｓｉｓｔｅｎｃｙ）は繊維を含んだ懸濁液中のパルプ固形物の重量％にて定義される。インクの除去は、例えば３０乃至５０℃（例えば、３５乃至４５℃）の適切な温度であり、かつ例えば５００乃至１０００ｒｐｍのような単位時間（分）当たりの所定の回転数にて、適切な浮選用セル（例えば、Ｄｅｎｖｅｒ  Ｌａｂ社製の浮選セル）中にて実施され得る。本発明の方法に関連した更なる利点は、フレキソ印刷の廃棄物を処理するために使用した場合、処理工程中における水が、比較的澄んでいる点が挙げられる。これに対し、周知の脱インク法を使用した場合、水は黒色になる。更に、本発明の方法は明度が改善されたパルプを生成する。
【００５４】
本発明の実施形態を、以下に詳細に記載する。
【実施例１】
【００５５】
ａ）パルプ化
混合容器中において、４％の濃度を有する１１０ｇの空気乾燥した廃棄紙（５０％の新聞紙と５０％の雑誌）の水性懸濁液に４４０ｇの工業用水を４５℃にて加えた。懸濁された紙は４５℃にて１５分間混練された。
【００５６】
ｂ）インクの除去
１６°ｄＨの硬度を有する水を、上記ａ）において得られたパルプ中に加えて、１％の濃度を得た。約１１モル％のケイ素原子が−（ＯＣ２Ｈ４）１８（ＯＣ３Ｈ６）１８側鎖に置換された置換物を有し、ＨＬＢが約６．１であり、かつ分子量が約６００００である水酸基がエンドキャップ処理された種々の量のポリジメチルシロキサン（以下の明細書中において「シロキサン１」と参照される）を該パルプに水性溶液として加えた。該パルプをＤｅｎｖｅｒ  Ｌａｂ社製の浮選セル中にて、４５℃、１０００ｒｐｍにて８分間、浮選した。その後、パルプを水から分離し、真空下、９５℃にて１０分間乾燥しながら、シート形成機の二つのフィルタの間にてシートを形成した。
【００５７】
比較のために、上記工程ａ）及びｂ）は、市販の脂肪酸ベースの脱インク調製物を用いて繰り返された。結果を以下の表１に示す。白色度（ｗｈｉｔｅｎｅｓｓ）はＤＩＮ（ドイツ工業標準規格）５３１４５パート１に従って評価した。
【００５８】
【表１】
2010053504.tif 000014
【実施例２】
【００５９】
ａ）パルプ化
混合容器中において、２０％の濃度を有する１１０ｇの空気乾燥した廃棄紙（１０％の新聞紙と９０％の雑誌）の水性懸濁液に４４０ｍｌの工業用水を４５℃にて加えた。懸濁された紙は４５℃にて１５分間混練された。
【００６０】
ｂ）インクの除去
上記ａ）において得られたパルプ中に水を加えて、１．０９％の濃度を得た。以下の表４において定義される水酸基がエンドキャップ処理された種々の量のシロキサンを該パルプに水性溶液として加えた。該パルプをＤｅｎｖｅｒ  Ｌａｂ社製の浮選セル中にて、４５℃にて８分間、浮選した。
【００６１】
上記工程ａ）及びｂ）は、実施例１において使用されたシロキサン（シロキサン１）及び表４において定義されたシロキサン（シロキサン２乃至８）を用いて、新しい廃棄紙と古い廃棄紙について繰り返された。表４はまた、各シロキサンに対する粘度のデータも含む。比較のために、実施例１において使用された、市販の脂肪酸ベースの脱インク調製物を用いた実験も実施した。結果を以下の表２（新しい廃棄紙の場合）及び表３（古い廃棄紙の場合）に示す。白色度はＤＩＮ５３１４５パート１に従って評価した。
【００６２】
【表２】
2010053504.tif 000015
【００６３】
【表３】
2010053504.tif 000016
【００６４】
【表４】
2010053504.tif 000017
【実施例３】
【００６５】
ａ）パルプ化
混合容器中において、２０％の濃度を有する１１０ｇの空気乾燥した廃棄紙（１００％新聞紙）の水性懸濁液に４００ｍｌの工業用水を４５℃にて加えた。懸濁された紙は４５℃にて１５分間混練された。
【００６６】
ｂ）インクの除去
上記ａ）において得られたパルプ中に水を加えて、１．０９％の濃度を得た。表４及び実施例１において定義された水酸基がエンドキャップ処理された種々の量のシロキサンを該パルプに水性溶液として加えた。該パルプをＤｅｎｖｅｒ  Ｌａｂ社製の浮選セル中にて、４５℃にて８分間、浮選した。
【００６７】
上記工程ａ）及びｂ）は、実施例１において使用されたシロキサン（シロキサン１）及び表４において定義されたシロキサンのうちの二つ（シロキサン４及び７）を用いて繰り返された。比較のために、実施例１において使用された、市販の脂肪酸ベースの脱インク調製物を用いた実験も実施した。結果を以下の表５に示す。白色度はＤＩＮ５３１４５パート１に従って評価した。
【００６８】
【表５】
2010053504.tif 000018
【実施例４】
【００６９】
実施例１の工程ａ）及びｂ）は、実施例１において使用されたシロキサン（シロキサン１）を用いて繰り返されたが、１００％フレキソ印刷紙について実施した。加えて、０．１０重量％の水酸化ナトリウム及び１．２０重量％のケイ酸ナトリウムをスラリーに加えた。
【００７０】
比較のために、実施例１において使用された、市販の脂肪酸ベースの脱インク調製物を用いた実験も実施した。結果を以下の表６に示す。ろ過水の外観も記録した。白色度はＤＩＮ５３１４５パート１に従って評価した。
【００７１】
【表６】
2010053504.tif 000019
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
印刷紙からインクを除去する方法において、前記方法は、水性スラリーを形成するために紙をパルプ化する工程と、脱インク用添加物を紙に加える工程と、浮選により分離されたインクを除去する工程とからなり、
前記添加物は、以下の式：
【化１】
2010053504.tif 000027
にて示される単位からなる有機変性シロキサン
［ここで、Ｒ１はそれぞれ独立して、水素原子、アルキル、アリール、アルケニル、アラルキル、アルカリル、アルコキシ、アルカノイルオキシ、ヒドロキシル、エステル又はエーテル基から選択され；
Ｚは、
【化２】
2010053504.tif 000028
基であり；
ｎは１より大きい整数であり；
ａ及びｂは独立して、０、１、２又は３であり；
Ｒ２はアルキレン基または直接結合であり；
Ｒ３は水素原子、又はアルカノイルオキシ、エステル、エーテル若しくはヒドロキシル基であり、；
ｐ及びｒは独立して、１乃至６の整数であり；
ｑ及びｓは独立して、０又は１≦ｑ＋ｓ≦４００を満たす整数であり、かつ
有機変性シロキサンの各分子が少なくとも一つのＺ基を含む］
、からなる方法。
【請求項２】
前記ｐ及びｒの少なくとも一方は独立して２、３又は４である請求項１に記載の方法。
【請求項３】
前記ｑ及びｓはそれぞれ独立して１０乃至３０の整数である請求項１又は２に記載の方法。
【請求項４】
前記ｑ及びｓは、それぞれ独立して１５乃至２５の整数である請求項３に記載の方法。
【請求項５】
ｐは２であり、ｒは３であり、かつｑ及びｓはいずれも１８である請求項１乃至４のいずれか一項に記載の方法。
【請求項６】
前記Ｒ２はメチレン、エチレン、プロピレン、ブチレン、ペンチレン又はヘキシレン基である請求項１乃至５のいずれか一項に記載の方法。
【請求項７】
前記シロキサンは直鎖状である請求項１乃至６のいずれか一項に記載の方法。
【請求項８】
前記シロキサンは分枝状部を含む請求項１乃至７のいずれか一項に記載の方法。
【請求項９】
前記Ｒ３はヒドロキシル基又はアルカノイルオキシ基である請求項１乃至８のいずれか一項に記載の方法。
【請求項１０】
前記シロキサン分子中のケイ素原子の２乃至２０モル％がＺ基にて置換されている請求項１乃至９のいずれか一項に記載の方法。
【請求項１１】
前記シロキサン分子中のケイ素原子の５乃至１６モル％がＺ基にて置換されている請求項１０に記載の方法。
【請求項１２】
前記シロキサンは、５．０乃至７．３の範囲の親水性／親油性バランス（ＨＬＢ）を有する請求項１乃至１１のいずれか一項に記載の方法。
【請求項１３】
前記シロキサンは、１０００乃至５０００００の範囲の分子量を有する請求項１乃至１２のいずれか一項に記載の方法。
【請求項１４】
前記シロキサンは、１００００乃至１０００００の範囲の分子量を有する請求項１３に記載の方法。
【請求項１５】
前記シロキサンは、ＨＬＢ値が５．９乃至６．３である水酸基がエンドキャップ処理された直鎖状ポリジメチルシロキサンであり、該直鎖状ポリジメチルシロキサンは、１０乃至１２モル％のケイ素原子が、式：
【化３】
2010053504.tif 000029
で示されるＺ基にて置換されており、ここで、ｐは２であり、ｒは３であり、ｑ及びｓはいずれも１８であり、Ｒ２は１乃至６個の炭素原子を有するアルキレン基であるか又は直接結合されており、かつＲ３は水素原子又はヒドロキシル、エステル若しくはエーテル基である請求項１乃至１４のいずれか一項に記載の方法。
【請求項１６】
前記添加物は、ポリジメチルシロキサン、有機ポリエーテル及び脂肪酸から選択される一つ以上の成分を更に含む請求項１乃至１５のいずれか一項に記載の方法。
【請求項１７】
前記添加物は、式：
【化４】
2010053504.tif 000030
で示される有機ポリエーテルを更に含むとともに、Ｒ４及びＲ５は水素原子、ヒドロキシル、アルキル及びアルコキシ基から選択され、ｐ及びｒは独立して１乃至６の整数であり、かつｑ及びｓは独立して０又は１≦ｑ＋ｓ≦４００を満たす整数である請求項１６に記載の方法。
【請求項１８】
前記添加物は、飽和又は不飽和の一塩基性脂肪族カルボン酸である脂肪酸を更に含む請求項１６又は１７に記載の方法。
【請求項１９】
前記カルボン酸は、ラウリン酸、ミリスチン酸、パルミチン酸、ステアリン酸、アラキン酸、ベヘン酸、リグノセリン酸、パルミトレイン酸、オレイン酸、リノール酸、リノレン酸及びアラキドン酸から選択される請求項１８に記載の方法。
【請求項２０】
前記添加物は乳剤である請求項１乃至１９のいずれか一項に記載の方法。
【請求項２１】
前記添加物は、ガムベースの自己乳化型シロキサンである請求項２０に記載の方法。
【請求項２２】
前記添加物は紙に対して０．１乃至１重量％の範囲内の量にて前記紙に加えられる請求項１乃至２１のいずれか一項に記載の方法。
【請求項２３】
前記添加物は紙に対して０．１乃至０．５重量％の範囲内の量にて前記紙に加えられる請求項２２に記載の方法。
【請求項２４】
ほぼ中性のｐＨにて実施される請求項１乃至２３のいずれか一項に記載の方法。
【請求項２５】
前記添加物は、パルプ化工程の前、パルプ化工程時又はパルプ化工程の後に加えられる請求項１乃至２４のいずれか一項に記載の方法。
【手続補正２】
【補正対象書類名】明細書
【補正対象項目名】００１４
【補正方法】変更
【補正の内容】
【００１４】
【化１】
2010053504.tif 000031
にて示される単位からなる有機変性シロキサン
［ここで、Ｒ１はそれぞれ独立して、水素原子、アルキル、アリール、アルケニル、アラルキル、アルカリル、アルコキシ、アルカノイルオキシ、ヒドロキシル、エステル又はエーテル基から選択され；
Ｚは、
【手続補正３】
【補正対象書類名】明細書
【補正対象項目名】００１５
【補正方法】変更
【補正の内容】
【００１５】
【化２】
2010053504.tif 000032
基であり；
ｎは１より大きい整数であり；
ａ及びｂは独立して、０、１、２又は３であり；
Ｒ２はアルキレン基または直接結合であり；
Ｒ３は水素原子、又はアルカノイルオキシ、エステル、エーテル若しくはヒドロキシル基であり、；
ｐ及びｒは独立して、１乃至６の整数であり；
ｑ及びｓは独立して、０又は１≦ｑ＋ｓ≦４００を満たす整数であり、かつ
有機変性シロキサンの各分子が少なくとも一つのＺ基を含む］
、からなる方法を提供する。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項２に記載の発明は、請求項１に記載の方法において、ｐ及びｒの少なくとも一方は独立して２、３又は４であることをその要旨とする。
請求項３に記載の発明は、請求項１又は２に記載の方法において、ｑ及びｓはそれぞれ独立して１０乃至３０の整数であることをその要旨とする。
【手続補正７】
【補正対象書類名】明細書
【補正対象項目名】００１９
【補正方法】変更
【補正の内容】
【００１９】
請求項４に記載の発明は、請求項３に記載の方法において、ｑ及びｓは、それぞれ独立して１５乃至２５の整数であることをその要旨とする。
請求項５に記載の発明は、請求項１乃至４のいずれか一項に記載の方法において、ｐは２であり、ｒは３であり、かつｑ及びｓはいずれも１８であることをその要旨とする。
【手続補正８】
【補正対象書類名】明細書
【補正対象項目名】００２０
【補正方法】変更
【補正の内容】
【００２０】
請求項６に記載の発明は、請求項１乃至５のいずれか一項に記載の方法において、Ｒ２はメチレン、エチレン、プロピレン、ブチレン、ペンチレン又はヘキシレン基であることをその要旨とする。
【手続補正９】
【補正対象書類名】明細書
【補正対象項目名】００２１
【補正方法】変更
【補正の内容】
【００２１】
請求項７に記載の発明は、請求項１乃至６のいずれか一項に記載の方法において、シロキサンは直鎖状であることをその要旨とする。
【手続補正１０】
【補正対象書類名】明細書
【補正対象項目名】００２２
【補正方法】変更
【補正の内容】
【００２２】
請求項８に記載の発明は、請求項１乃至７のいずれか一項に記載の方法において、シロキサンは分枝状部を含むことをその要旨とする。
請求項９に記載の発明は、請求項１乃至８のいずれか一項に記載の方法において、Ｒ３はヒドロキシル基又はアルカノイルオキシ基であることをその要旨とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
請求項１０に記載の発明は、請求項１乃至９のいずれか一項に記載の方法において、シロキサン分子中のケイ素原子の２乃至２０モル％がＺ基にて置換されていることをその要旨とする。
【手続補正１３】
【補正対象書類名】明細書
【補正対象項目名】００２５
【補正方法】変更
【補正の内容】
【００２５】
請求項１１に記載の発明は、請求項１０に記載の方法において、シロキサン分子中のケイ素原子の５乃至１６モル％がＺ基にて置換されていることをその要旨とする。
請求項１２に記載の発明は、請求項１乃至１１のいずれか一項に記載の方法において、シロキサンは、５．０乃至７．３の範囲の親水性／親油性バランス（ＨＬＢ）を有することをその要旨とする。
【手続補正１４】
【補正対象書類名】明細書
【補正対象項目名】００２６
【補正方法】変更
【補正の内容】
【００２６】
請求項１３に記載の発明は、請求項１乃至１２のいずれか一項に記載の方法において、シロキサンは、１０００乃至５０００００の範囲の分子量を有することをその要旨とする。
【手続補正１５】
【補正対象書類名】明細書
【補正対象項目名】００２７
【補正方法】変更
【補正の内容】
【００２７】
請求項１４に記載の発明は、請求項１３に記載の方法において、シロキサンは、１００００乃至１０００００の範囲の分子量を有することをその要旨とする。
請求項１５に記載の発明は、請求項１乃至１４のいずれか一項に記載の方法において、シロキサンは、ＨＬＢ値が５．９乃至６．３である水酸基がエンドキャップ処理された直鎖状ポリジメチルシロキサンであり、該直鎖状ポリジメチルシロキサンは、１０乃至１２モル％のケイ素原子が、式：
【手続補正１６】
【補正対象書類名】明細書
【補正対象項目名】００２８
【補正方法】変更
【補正の内容】
【００２８】
【化３】
2010053504.tif 000033
で示されるＺ基にて置換されており、ここで、ｐは２であり、ｒは３であり、ｑ及びｓはいずれも１８であり、Ｒ２は１乃至６個の炭素原子を有するアルキレン基であるか又は直接結合されており、かつＲ３は水素原子又はヒドロキシル、エステル若しくはエーテル基であることをその要旨とする。
【手続補正１７】
【補正対象書類名】明細書
【補正対象項目名】００２９
【補正方法】変更
【補正の内容】
【００２９】
請求項１６に記載の発明は、請求項１乃至１５のいずれか一項に記載の方法において、添加物は、ポリジメチルシロキサン、有機ポリエーテル及び脂肪酸から選択される一つ以上の成分を更に含むことをその要旨とする。
【手続補正１８】
【補正対象書類名】明細書
【補正対象項目名】００３０
【補正方法】変更
【補正の内容】
【００３０】
請求項１７に記載の発明は、請求項１６に記載の発明において、添加物は、式：
【手続補正１９】
【補正対象書類名】明細書
【補正対象項目名】００３１
【補正方法】変更
【補正の内容】
【００３１】
【化４】
2010053504.tif 000034
で示される有機ポリエーテルを更に含むとともに、Ｒ４及びＲ５は水素原子、ヒドロキシル、アルキル及びアルコキシ基から選択され、ｐ及びｒは独立して１乃至６の整数であり、かつｑ及びｓは独立して０又は１≦ｑ＋ｓ≦４００を満たす整数であることをその要旨とする。
【手続補正２０】
【補正対象書類名】明細書
【補正対象項目名】００３２
【補正方法】変更
【補正の内容】
【００３２】
請求項１８に記載の発明は、請求項１６又は１７に記載の方法において、添加物は、飽和又は不飽和の一塩基性脂肪族カルボン酸である脂肪酸を更に含むことをその要旨とする。
【手続補正２１】
【補正対象書類名】明細書
【補正対象項目名】００３３
【補正方法】変更
【補正の内容】
【００３３】
請求項１９に記載の発明は、請求項１８に記載の方法において、カルボン酸は、ラウリン酸、ミリスチン酸、パルミチン酸、ステアリン酸、アラキン酸、ベヘン酸、リグノセリン酸、パルミトレイン酸、オレイン酸、リノール酸、リノレン酸及びアラキドン酸から選択されることをその要旨とする。
【手続補正２２】
【補正対象書類名】明細書
【補正対象項目名】００３４
【補正方法】変更
【補正の内容】
【００３４】
請求項２０に記載の発明は、請求項１乃至１９のいずれか一項に記載の方法において、添加物は乳剤であることをその要旨とする。
請求項２１に記載の発明は、請求項２０に記載の方法において、添加物は、ガムベースの自己乳化型シロキサンであることをその要旨とする。
【手続補正２３】
【補正対象書類名】明細書
【補正対象項目名】００３５
【補正方法】変更
【補正の内容】
【００３５】
請求項２２に記載の発明は、請求項１乃至２１のいずれか一項に記載の方法において、添加物は紙に対して０．１乃至１重量％の範囲内の量にて同紙に加えられることをその要旨とする。
【手続補正２４】
【補正対象書類名】明細書
【補正対象項目名】００３６
【補正方法】変更
【補正の内容】
【００３６】
請求項２３に記載の発明は、請求項２２に記載の方法において、添加物は紙に対して０．１乃至０．５重量％の範囲内の量にて同紙に加えられることをその要旨とする。
請求項２４に記載の発明は、請求項１乃至２３のいずれか一項に記載の方法において、ほぼ中性のｐＨにて実施されることをその要旨とする。
【手続補正２５】
【補正対象書類名】明細書
【補正対象項目名】００３７
【補正方法】変更
【補正の内容】
【００３７】
請求項２５に記載の発明は、請求項１乃至２４のいずれか一項に記載の方法において、添加物は、パルプ化工程の前、パルプ化工程時又はパルプ化工程の後に加えられることをその要旨とする。
【手続補正２６】
【補正対象書類名】明細書
【補正対象項目名】００４０
【補正方法】変更
【補正の内容】
【００４０】
【化５】
2010053504.tif 000035
、にて示される単位からなる有機変性シロキサン
［ここで、Ｒ１はそれぞれ独立して、水素原子、アルキル、アリール、アルケニル、アラルキル、アルカリル、アルコキシ、アルカノイルオキシ、ヒドロキシル、エステル又はエーテル基から選択され；
Ｚはそれぞれ独立して、アミン、アミド、カルボキシル、エステル若しくはエポキシ基にて置換されたアルキル基、又は
【手続補正２７】
【補正対象書類名】明細書
【補正対象項目名】００４１
【補正方法】変更
【補正の内容】
【００４１】
【化６】
2010053504.tif 000036
基から選択され；
ｎは１より大きい整数であり；
ａ及びｂは独立して、０、１、２又は３であり；
Ｒ２はアルキレン基または直接結合であり；
Ｒ３は上記Ｒ１又はＺにて定義された基であり；
ｐ及びｒは独立して、１乃至６の整数であり；
ｑ及びｓは独立して、０又は１≦ｑ＋ｓ≦４００を満たす整数であり、かつ
有機変性シロキサンの各分子が少なくとも一つのＺ基を含む］からなる。
【手続補正２８】
【補正対象書類名】明細書
【補正対象項目名】００４３
【補正方法】変更
【補正の内容】
【００４３】
【化７】
2010053504.tif 000037
基であることが好ましく、より好ましくはｐ及び／またはｒは独立して２、３又は４であり、即ち、エチレン、プロピレン及び／またはブチレンオキサイド基からなる置換基である。好ましくは、ｑ及びｓはそれぞれ独立して１０乃至３０の整数であり、より好ましくは１５乃至２５（例えば、１８）の整数である。特に好ましいＺ基において、ｐは２であり、ｒは３であり、かつｑ及びｓはいずれも１８である。Ｒ２は例えば１乃至６個の炭素原子を有するアルキレン基（即ち、メチレン、エチレン、プロピレン、ブチレン、ペンチレン、又はヘキシレン基）であるか、または直接結合している。Ｒ３は上記Ｒ１又はＺにて定義された置換基であり、かつ好ましくは水素原子又はヒドロキシル基である。
【手続補正２９】
【補正対象書類名】明細書
【補正対象項目名】００４６
【補正方法】変更
【補正の内容】
【００４６】
【化８】
2010053504.tif 000038
基である場合、Ｒ３は好ましくはヒドロキシル又はアルカノイルオキシ基である。
【手続補正３０】
【補正対象書類名】明細書
【補正対象項目名】００４９
【補正方法】変更
【補正の内容】
【００４９】
【化９】
2010053504.tif 000039
であるＺ基にて置換されており、ここで、ｐは２であり、ｒは３であり、ｑ及びｓはいずれも１８であり、Ｒ２は１乃至６個の炭素原子を有するアルキレン基であるか、又は直接結合されており、かつＲ３は水素原子又はヒドロキシル、エステル若しくはエーテル基である。
【手続補正３１】
【補正対象書類名】明細書
【補正対象項目名】００５１
【補正方法】変更
【補正の内容】
【００５１】
【化１０】
2010053504.tif 000040
であり、かつＲ４及びＲ５が水素原子、ヒドロキシル、アルキル及びアルコキシ基から選択されるとともにｐ、ｑ、ｒ及びｓが上述に定義されたものである該一般式のうちのいくつかを含む。適切な脂肪酸は、例えば、ラウリン酸、ミリスチン酸、パルミチン酸、ステアリン酸、アラキン酸、ベヘン酸、リグノセリン酸、パルミトレイン酸、オレイン酸、リノール酸、リノレン酸及びアラキドン酸のような８乃至２２個の炭素原子を有する飽和及び不飽和の一塩基性脂肪族カルボン酸を含む。